(57)【要約】【課題】大きな構造変更を伴うことなく、ドア開口部から車室内へ侵入するダストを低減できるようにすることを目的とする。【解決手段】車体のドア開口部近傍に設けられる車室内向けの空調用吹出し口２８に連結された空調用ダクト１４と、該空調用ダクト１４から分岐した分岐ダクト１６に連結されると共に空調用吹出し口２８の近傍に設けられ、空調空気をドア開口部へ向けて吹出し可能なダスト低減用吹出し口１８と、空調用吹出し口２８側とダスト低減用吹出し口１８側とで空調空気が流れる経路を選択可能な弁２０（選択手段）と、選択手段の作動を車両用ドアの開閉に機械的に連動させるリンク機構２２（連動手段）と、を有している。車両用ドア３２を開くと、これに機械的に連動して空調空気の経路が切り替わり、ダスト低減用吹出し口１８からドア開口部へ空調空気が吹き出す。これにより、簡易な構成で乗車前の乗員に付着しているダスト等を除去できる。【選択図】図４
2008105486.tif 000002
【特許請求の範囲】
【請求項１】
車体のドア開口部近傍に設けられる車室内向けの空調用吹出し口に連結され、空調空気供給源から供給される空調空気を前記空調用吹出し口へ導くための空調用ダクトと、
該空調用ダクトに連結された分岐ダクトと、
該分岐ダクトに連結されると共に前記空調用吹出し口の近傍に設けられ、前記分岐ダクト内を流れて来た前記空調空気を、前記ドア開口部へ向けて吹出し可能なダスト低減用吹出し口と、
前記空調用吹出し口側と前記ダスト低減用吹出し口側とで、前記空調空気が流れる経路を選択可能な選択手段と、
前記空調空気の経路が、車両用ドアが閉じているときは前記空調用吹出し口側となり、前記車両用ドアが開いているときは前記ダスト低減用吹出し口側となるように、前記選択手段の作動を前記車両用ドアの開閉に機械的に連動させる連動手段と、
を有することを特徴とするダスト低減装置。
【請求項２】
前記空調空気供給源は、乗員の乗車前に作動するように構成されていることを特徴とする請求項１に記載のダスト低減装置。
【請求項３】
前記ダスト低減用吹出し口からの前記空調空気の吹出し時には、前記空調用吹出し口以外の前記車室内向けの空調用吹出し口においても前記空調空気の吹出しが抑制されることを特徴とする請求項１又は請求項２に記載のダスト低減装置。
【発明の詳細な説明】
【技術分野】
【０００１】
本発明は、車両用のダスト低減装置に関する。
【背景技術】
【０００２】
車両用のダスト低減装置として、車体のドア開口部が開放されているときに、該ドア開口部の縁部に設けられたエア吹出部から空気を噴出してエアカーテンを形成し、このエアカーテンによって車室の内外を仕切って車室内へのダスト類の侵入を防止する構成が開示されている（特許文献１参照）。
【特許文献１】特開２００６−０１４９３号公報
【発明の開示】
【発明が解決しようとする課題】
【０００３】
しかしながら、上記した従来例のように、ドア開口部にエアカーテンを形成するためには、該ドア開口部の縁部へ空気を供給するために何らかの手段を用いる必要があり、構造が複雑になると考えられる。
【０００４】
本発明は、上記事実を考慮して、大きな構造変更を伴うことなく、ドア開口部から車室内へ侵入するダストを低減できるようにすることを目的とする。
【課題を解決するための手段】
【０００５】
請求項１の発明は、車体のドア開口部近傍に設けられる車室内向けの空調用吹出し口に連結され、空調空気供給源から供給される空調空気を前記空調用吹出し口へ導くための空調用ダクトと、該空調用ダクトに連結された分岐ダクトと、該分岐ダクトに連結されると共に前記空調用吹出し口の近傍に設けられ、前記分岐ダクト内を流れて来た前記空調空気を、前記ドア開口部へ向けて吹出し可能なダスト低減用吹出し口と、前記空調用吹出し口側と前記ダスト低減用吹出し口側とで、前記空調空気が流れる経路を選択可能な選択手段と、前記空調空気の経路が、車両用ドアが閉じているときは前記空調用吹出し口側となり、前記車両用ドアが開いているときは前記ダスト低減用吹出し口側となるように、前記選択手段の作動を前記車両用ドアの開閉に機械的に連動させる連動手段と、を有することを特徴としている。
【０００６】
請求項１に記載のダスト低減装置では、空調空気供給源から供給される空調空気を車室内向けの空調用吹出し口へ導くための空調用ダクトが、分岐ダクトにより分岐されており、該分岐ダクトは空調空気をドア開口部へ向けて吹き出すためのダスト低減用吹出し口に連結されている。空調空気が流れる経路を、空調用吹出し口側とダスト低減用吹出し口側のどちらにするかは、選択手段により選択することが可能となっており、該選択手段は、連動手段により車両用ドアの開閉に機械的に連動するようになっている。
【０００７】
具体的には、空調空気の経路は、車両用ドアが閉じているときは空調用吹出し口側となり、車両用ドアが開いているときにダスト低減用吹出し口側となるので、乗員が車両用ドアを開けて乗車する際に、該乗員に付着しているダストやドア開口部に浮遊しているダストを、ダスト低減用吹出し口から吹き出した空調空気により除去して低減することができる。ダスト低減用吹出し口は、空調用吹出し口の近傍に設けられているので、分岐ダクトを通じて空調空気を供給することが容易であり、大きな構造変更を伴うことなく、ドア開口部から車室内へ侵入するダストを低減することが可能である。
【０００８】
請求項２の発明は、請求項１に記載のダスト低減装置において、前記空調空気供給源は、乗員の乗車前に作動するように構成されていることを特徴としている。
【０００９】
請求項２に記載のダスト低減装置では、空調空気供給源が、乗員の乗車前に作動することで、車室内の圧力及び空調空気の風力を高めておくことができ、これによって乗員の乗車時におけるダスト除去能力をより向上させることができる。
【００１０】
請求項３の発明は、請求項１又は請求項２に記載のダスト低減装置において、前記ダスト低減用吹出し口からの前記空調空気の吹出し時には、前記空調用吹出し口以外の空調用吹出し口においても前記空調空気の吹出しが抑制されることを特徴としている。
【００１１】
請求項３に記載のダスト低減装置では、ダスト低減用吹出し口からの空調空気の吹出し時に、ドア開口部近傍の空調用吹出し口以外の空調用吹出し口においても、空調空気の吹出しが抑制されるので、車両用ドアが開かれた際に空調空気をダスト低減用吹出し口に集中させることができる。これにより、ダスト低減用吹出し口から吹き出す空調空気の風力をより高めることができるので、乗員の乗車時におけるダスト除去能力をより一層向上させることが可能である。
【発明の効果】
【００１２】
以上説明したように、本発明に係る請求項１に記載のダスト低減装置によれば、大きな構造変更を伴うことなく、ドア開口部から車室内へ侵入するダストを低減することができる、という優れた効果が得られる。
【００１３】
請求項２に記載のダスト低減装置によれば、乗員の乗車時におけるダスト除去能力をより向上させることができる、という優れた効果が得られる。
【００１４】
請求項３に記載のダスト低減装置によれば、乗員の乗車時におけるダスト除去能力をより一層向上させることができる、という優れた効果が得られる。
【発明を実施するための最良の形態】
【００１５】
以下、本発明の実施の形態を図面に基づき説明する。図１において、本実施の形態に係るダスト低減装置１０は、例えばインストルメントパネル１２の車幅方向両端部に配設されており、図２において、空調用ダクト１４と、分岐ダクト１６と、ダスト低減用吹出し口１８と、選択手段の一例たる弁２０と、連動手段の一例たるリンク機構２２とを有している。
【００１６】
図２において、空調用ダクト１４は、車体２４のドア開口部２６（図６）近傍に設けられる車室内向けの空調用吹出し口２８に連結され、空調空気供給源（図示せず）から供給される空調空気を該空調用吹出し口２８へ導くためのパイプ状部材である。図１に示されるように、空調用吹出し口２８は、ドア開口部近傍となるインストルメントパネル１２の車幅方向両端部に夫々設けられている。インストルメントパネル１２の車幅方向中央部には、運転席側及び助手席側に夫々対応する２箇所の空調用吹出し口３０が車幅方向に並列に配設されている。この空調用吹出し口３０は、空調空気供給源と空調用ダクト（図示せず）により接続されており、該空調空気供給源から供給された空調空気を、必要に応じて車室内へ吹出し可能に構成されている。
【００１７】
図２において、分岐ダクト１６は、空調用ダクト１４に連結され、該空調用ダクト１４内を流れる空調空気をダスト低減用吹出し口１８側に分岐させるためのパイプ状部材である。具体的には、分岐ダクト１６は、空調用ダクト１４の車幅方向外側に連結されており、そこからインストルメントパネル１２の側面１２Ａにおけるダスト低減用吹出し口１８の位置まで延び、車両平面視において、該ダスト低減用吹出し口１８に向かって先細り形状に形成されている。
【００１８】
ダスト低減用吹出し口１８は、分岐ダクト１６に連結されると共に空調用吹出し口２８の近傍に設けられ、分岐ダクト１６内を流れて来た空調空気を、ドア開口部２６（図６）へ向けて吹出し可能に構成されている。具体的には、図１に示されるように、ダスト低減用吹出し口１８は、インストルメントパネル１２の側面１２Ａに、車両上下方向に並んで例えば４箇所設けられている。図６に示されるように、ダスト低減用吹出し口１８から吹き出した空調空気が、ドア開口部２６の形状に対応して、車幅方向に狭く車両上下方向に広い範囲３６に広がるように、各々のダスト低減用吹出し口１８の形状は、例えば縦長のスリット状に形成されている。図２に示されるように、車両用ドア３２を閉じたとき、ダスト低減用吹出し口１８が設けられているインストルメントパネル１２の側面１２Ａには、例えばドアトリム３４が近接対向するように構成されている。なおダスト低減用吹出し口１８の形状や数、配置等については、図示の構成には限られない。
【００１９】
図２において、弁２０は、空調用吹出し口２８側とダスト低減用吹出し口１８側とで、空調空気が流れる経路を選択可能な流路切替部材であって、空調用ダクト１４と分岐ダクト１６との連結部に配設されている。具体的には、図２，図３に示されるように、弁２０は、ボス部２０Ａにおいて軸３８に回動自在に支持されており、該軸３８を中心として、例えば略９０°の範囲で揺動可能に構成されている。これにより、弁２０は、ダスト低減用吹出し口１８側の経路、即ち分岐ダクト１６と、空調用ダクト１４における空調用吹出し口２８側の経路１４Ａとを選択的に塞ぐことができるようになっている。
【００２０】
分岐ダクト１６には、弁２０が該分岐ダクト１６を閉じているときに当接する座面４０が設けられており、弁２０が座面４０に当接することで、ダスト低減用吹出し口１８側への空調空気の漏れが抑制されるようになっている。また空調用ダクト１４にも、弁２０が該空調用ダクト１４における空調用吹出し口２８側の経路１４Ａを閉じているときに当接する座面４２が設けられており、弁２０が座面４２に当接することで、空調用吹出し口２８側への空調空気の漏れが抑制されるようになっている。
【００２１】
図４，図５において、リンク機構２２は、空調空気の経路が、車両用ドア３２が閉じているときは空調用吹出し口２８側となり、車両用ドア３２が開いているときはダスト低減用吹出し口１８側となるように、弁２０の作動を車両用ドア３２の開閉に機械的に連動させる機構であって、図１に示されるように、例えばダスト低減用吹出し口１８及び空調用吹出し口２８の車両下方に設けられている。具体的には、図４，図５に示されるように、リンク機構２２は、インストルメントパネル１２の側面１２Ａに対して車幅方向に摺動可能に構成されると共に、圧縮コイルばね４４により車幅方向外側に付勢されたスライダ４６と、一端４８Ａにおいてスライダ４６とピン結合されたリンク４８とを有している。
【００２２】
図４に示されるように、スライダ４６の車幅方向外側端部には、車両用ドア３２を閉じたときにドアトリム３４と当接する荷重受け部４６Ａが設けられている。インストルメントパネル１２の側面１２Ａには、スライダ４６が車幅方向内側へ移動した際に、荷重受け部４６Ａが収まる凹部１２Ｂが設けられている。圧縮コイルばね４４は、荷重受け部４６Ａと凹部１２Ｂとの間に配設されており、荷重受け部４６Ａに対して付勢力を与えることで、車両用ドア３２を開いた際には、図５に示されるように、スライダ４６が車幅方向外側へ移動して、荷重受け部４６Ａがインストルメントパネル１２の側面１２Ａから突出するようになっている。
【００２３】
図４，図５において、弁２０のボス部２０Ａには、該弁２０とは異なる方角に延びるクランク部５０が固設されており、該クランク部５０の端部は、リンク４８の他端４８Ｂとピン結合されている。このような構成により、リンク機構２２では、車幅方向におけるスライダ４６の直進運動をクランク部５０の回転運動に変換して、弁２０を揺動させることができるようになっている。なおリンク機構２２は、上記構成に限られるものではない。
【００２４】
空調空気供給源は、例えばインストルメントパネル１２内に配設された空調ユニットであり、乗員５２（図６）の乗車前に作動させることができるように構成されている。具体的には、ダスト低減装置１０では、スマートキーシステム等の遠隔操作装置（図示せず）を利用することで、乗員５２の乗車前にエンジン（図示せず）及び空調空気供給源を作動させることができるようになっている。
【００２５】
（作用）
本実施形態は、上記のように構成されており、以下その作用について説明する。図４において、ダスト低減装置１０では、空調空気供給源からの空調空気を流すことができる経路として、空調用吹出し口２８側とダスト低減用吹出し口１８側とを有しており、どちらに空調空気を流すかは、弁２０により選択することができる。この弁２０は、リンク機構２２により車両用ドア３２の開閉に機械的に連動するようになっており、該車両用ドア３２が閉じているときには、空調空気が流れる経路として、空調用ダクト１４における空調用吹出し口２８側の経路１４Ａが選択される。
【００２６】
具体的には、図４に示されるように、車両用ドア３２が閉じているとき、車両用ドア３２のドアトリム３４は、インストルメントパネル１２の側面１２Ａに近接対向すると共に、リンク機構２２におけるスライダ４６の荷重受け部４６Ａに当接しており、スライダ４６は、該ドアトリム３４により圧縮コイルばね４４の付勢力に抗して押し込まれ、車幅方向内側へ移動した状態となっている。
【００２７】
ここで、リンク機構２２では、車幅方向におけるスライダ４６の直進運動をクランク部５０の回転運動に変換して、弁２０を揺動させることができるので、スライダ４６が車幅方向内側に移動した状態において、弁２０は、座面４０に当接するまで紙面反時計回りに揺動して、分岐ダクト１６を塞いでいる。即ち、車両用ドア３２が閉じているとき、空調空気が流れる経路は空調用吹出し口２８側の経路１４Ａとなっているので、図２に示されるように、空調空気は、空調用ダクト１４内を矢印Ａ方向に流れて空調用吹出し口２８から車室内へ吹き出す。このように、ダスト低減装置１０では、車両用ドア３２が閉じた状態において、空調用吹出し口２８から従来と同様の空調空気を得ることができる。なお、このとき、図１に示される空調用吹出し口３０からも、従来と同様の空調空気を得ることが可能である。
【００２８】
一方、図５に示されるように、車両用ドア３２（図６参照）が開かれると、弁２０が切り替えられ、空調空気が流れる経路として、ダスト低減用吹出し口１８側の経路、即ち分岐ダクト１６が選択される。該ダスト低減用吹出し口１８は、インストルメントパネル１２の側面１２Ａに設けられているので、図２に示されるように、車両用ドア３２を閉じた状態では露出していないが、図６に示されるように、車両用ドア３２を開くことで、車両用ドア３２のドアトリム３４（図４参照）がインストルメントパネル１２の側面１２Ａから離れて、ドア開口部２６に露出した状態となる。
【００２９】
また車両用ドア３２を開くと、ドアトリム３４が側面１２Ａから離れるため、図５に示されるように、スライダ４６が圧縮コイルばね４４の付勢力により車幅方向外側へ移動し、荷重受け部４６Ａが側面１２Ａから突出した状態となる。ここで、リンク機構２２では、車幅方向におけるスライダ４６の直進運動をクランク部５０の回転運動に変換して、弁２０を揺動させることができるので、スライダ４６が車幅方向外側に移動した状態において、弁２０は、座面４２に当接するまで紙面時計回りに揺動して、空調用ダクト１４における空調用吹出し口２８側の経路１４Ａを塞ぐ。即ち、車両用ドア３２が開くと、空調空気が流れる経路はダスト低減用吹出し口１８側の分岐ダクト１６に切り替られるので、図３に示されるように、空調空気は、分岐ダクト１６内を矢印Ｂ方向に流れてダスト低減用吹出し口１８から吹き出す。図３等に示されるように、分岐ダクト１６は、車両平面視でダスト低減用吹出し口１８に向かって先細り形状とされているので、該ダスト低減用吹出し口１８から吹き出す空調空気の流速を増加させることができる。
【００３０】
図６に示されるように、インストルメントパネル１２の側面１２Ａには、ダスト低減用吹出し口１８が、例えば該インストルメントパネル１２の湾曲に沿って、車両上下方向に４箇所並んで設けられており、各々のダスト低減用吹出し口１８は、例えば縦長のスリット状に形成されているので、該ダスト低減用吹出し口１８から矢印Ｃ方向に吹き出した空調空気は、ドア開口部２６の形状に対応して、車幅方向に狭く車両上下方向に広い範囲３６に広がる。この範囲３６は、ドア開口部２６の近傍の乗込み位置に起立した乗員５２の全身を覆う程度に設定されることが望ましい。空調空気を乗員５２の全身にまんべんなく当てて効率的にダストの除去を行うことができるからである。
【００３１】
このように、ダスト低減装置１０では、乗員５２が車両用ドア３２を開けて乗車する際に、該乗員５２に付着しているダストやドア開口部２６に浮遊しているダストを、ダスト低減用吹出し口１８から吹き出した空調空気により除去して低減することができる。特に、分岐ダクト１６を先細り形状としてダスト低減用吹出し口１８から吹き出す空調空気の流速を増加させることで、該空調空気によるダストに対する除去能力を向上させることが可能である。またダスト低減装置１０では、ダスト低減用吹出し口１８は、空調用吹出し口２８の近傍に設けられているので、分岐ダクト１６を通じて空調空気を供給することが容易であり、大きな構造変更を伴うことなく、ドア開口部２６から車室内へ侵入するダストを低減することが可能である。
【００３２】
スマートキーシステム等の遠隔操作装置により、乗員５２の乗車前にエンジンを始動し、空調空気供給手段を作動させておくと、事前に車室内の圧力が高まるので、該車室内へのダストの侵入をより一層抑制でき、また事前に分岐ダクト１６への風力を高めておくことができるので、乗員５２に付着しているダストやドア開口部２６に浮遊しているダストに対する除去能力をより一層を向上させることができる。夏場においては、ダスト低減用吹出し口１８から冷たい空調空気が吹き出して乗員５２に当たるので、快適である。
【００３３】
なお上記したように、車両用ドア３２を開いた際には、空調用吹出し口２８からの空調空気の吹出しが抑制されるが、該空調用吹出し口２８以外の空調用吹出し口、例えばインストルメントパネル１２の車幅方向中央部の空調用吹出し口３０（図１）や、後席用の空調用吹出し口等（図示せず）においても、空調空気の吹出しを抑制するように構成してもよい。この場合、ダスト低減用吹出し口１８からの空調空気の吹出し時に、空調用吹出し口２８以外の空調用吹出し口３０等においても、空調空気の吹出しが抑制されるので、車両用ドア３２が開かれた際に、空調空気をダスト低減用吹出し口１８に集中させることができる。これにより、ダスト低減用吹出し口１８から吹き出す空調空気の風力をより高めることができるので、乗員の乗車時におけるダスト除去能力をより一層向上させることが可能である。
【００３４】
なお上記実施形態では、助手席側のドア開口部２６においてダストを低減するダスト低減装置１０について説明したが、ダスト低減装置１０が設けられるのは助手席側だけに限られるものではなく、運転席側にも設けることが可能である。またミニバン等の車種では、例えばＢピラーの上部に空調用吹出し口が設けられる場合があるので、該空調用吹出し口の近傍にダスト低減用吹出し口を追加することで、後部座席のドア開口部においても低コストで車室内に侵入するダストの低減を図ることが可能である。
【００３５】
また上記実施形態においては、選択手段の一例として弁２０を挙げて説明したが、選択手段は該弁２０に限られるものではなく、ダスト低減用吹出し口１８側の経路、即ち分岐ダクト１６と、空調用吹出し口２８側の経路１４Ａとを選択的に塞ぐことができる構成であればよい。また連動手段の一例としてリンク機構２２を挙げて説明したが、連動手段は該リンク機構２２に限られるものではない。従って、例えば弁２０をアクチュエータ（図示せず）により駆動するように構成し、ドアカーテシスイッチ（図示せず）を用いることで、アクチュエータの作動を車両用ドア３２の開閉に連動させて弁２０を駆動するようにしてもよい。
【図面の簡単な説明】
【００３６】
【図１】助手席側のダスト低減装置を示す斜視図である。
【図２】車両用ドアが閉じているときに、空調空気が流れる経路として、空調用吹出し口側が選択されている状態を示す、図１における２−２矢視断面図である。
【図３】車両用ドアが開いたときに、空調空気が流れる経路として、ダスト低減用吹出し口側が選択されている状態を示す、図１における３−３矢視断面図である。
【図４】車両用ドアが閉じている状態において、リンク機構を介して紙面反時計回りに揺動した弁が、分岐ダクトを塞ぐことで、空調空気が流れる経路として、空調用吹出し口側が選択されている状態を示す、図１における４−４矢視断面図である。
【図５】車両用ドアが開いた状態において、リンク機構を介して紙面時計回りに揺動した弁が、空調用ダクトにおける空調用吹出し口側の経路を塞ぐことで、空調空気が流れる経路として、ダスト低減用吹出し口側が選択されている状態を示す、図１における５−５矢視断面図である。
【図６】ダスト低減用吹出し口から吹き出した空調空気が、ドア開口部の近傍に起立した乗員に当たっている状態を示す斜視図である。
【符号の説明】
【００３７】
１０    ダスト低減装置
１４    空調用ダクト
１６    分岐ダクト
１８    ダスト低減用吹出し口
２０    弁（選択手段）
２２    リンク機構（連動手段）
２４    車体
２６    ドア開口部
２８    空調用吹出し口
３２    車両用ドア
【図１】
2008105486.tif 000003
【図２】
2008105486.tif 000004
【図３】
2008105486.tif 000005
【図４】
2008105486.tif 000006
【図５】
2008105486.tif 000007
【図６】
2008105486.tif 000008